(57)【要約】【課題】  画像形成装置において、出荷時における梱包作業を容易とするとともに、運搬の際給紙カセット等の可動体が動くことのないことようにする。【解決手段】  装置筐体１１に対して可動体（例えば、給紙カセット１２）が引き出し又は開閉可能に配設されており、レベルボルト２０によって装置筐体の底面の床面に対する位置が調整される。レベルボルトに連動して可動体をロックするロック機構とを有しており、ロック機構はレベルボルトの移動に連動して上下方向に移動するリンク部材１４と、リンク部材に取り付けられた係止部材１７とを有している。そして、係止部材はレベルボルトが第１の位置にある際可動体をロックし、レベルボルトが第１の位置よりも下側に位置する第２の位置で可動体のロックを解除する。【選択図】  図４
2006064888.tif 000002
【特許請求の範囲】
【請求項１】
装置筐体に対して引き出し又は開閉可能に配設された可動体を備える画像形成装置において、
前記装置筐体の底面の床面に対する位置を調整するレベル調整手段と、
該レベル調整手段に連動して前記可動体をロックするロック機構とを有することを特徴とする画像形成装置。
【請求項２】
前記レベル調整手段は前記床面に対して上下方向に移動可能で前記装置筐体に取り付けられたレベルボルトを有し、
前記ロック機構は前記レベルボルトの移動に連動して上下方向に移動するリンク部材と、該リンク部材に取り付けられた係止部材とを有し、
前記係止部材は前記レベルボルトが第１の位置にある際前記可動体をロックし、前記レベルボルトが前記第１の位置よりも下側に位置する第２の位置で前記可動体のロックを解除するようにしたことを特徴とする請求項１記載の画像形成装置。
【請求項３】
前記係止部材はその一端が前記リンク部材に回動可能に支持されており、
前記係止部材の一端と他端との間で前記係止部材は支点部材によって前記装置筐体に対して支持され、
前記レベルボルトが前記第２の位置から前記第１の位置に位置付けられた際、前記リンク部材の移動に応じて前記係止部材が回動して前記係止部材の他端で前記可動体を係止するようにしたことを特徴とする請求項２記載の画像形成装置。
【請求項４】
前記レベルボルトを第２の位置から第１の位置に向って上昇させた際、前記レベルボルトが前記第１の位置に達したことを確認できる確認手段が備えられていることを特徴とする請求項２記載の画像形成装置。
【請求項５】
前記確認手段は、前記レベルボルトに形成され前記第１の位置で前記装置筐体にネジ嵌入する第１のネジ部と、前記第２の位置で前記装置筐体にネジ嵌入する第２のネジ部とを有することを特徴とする請求項４記載の画像形成装置。
【請求項６】
前記可動体の一つは前記装置筐体に対して引き出し可能な把持取手部であり、
前記リンク部材は第１のリンク部と該第１のリンク部の下側に位置付けられた第２のリンク部とを有し、
前記第１のリンク部を前記第２のリンク部に対して上方に付勢する付勢手段と、
前記把持取手部が前記装置筐体から引き出された状態で前記レベルボルトが第１の位置にある際、前記把持取手部が前記装置筐体内に押し込まれると前記付勢手段の付勢力に抗して前記第１のリンク部を押し下げて該第１のリンク部で前記把持取手部を係止する係止手段を有することを特徴とする請求項２記載の画像形成装置。
【請求項７】
前記係止手段は前記把持取手部に形成され上下方向に延びる溝部を有し、
前記把持取手部が前記装置筐体に収納されると前記溝部に前記第１のリンク部の先端が挿入されるようにしたことを特徴とする請求項６記載の画像形成装置。
【発明の詳細な説明】
【技術分野】
【０００１】
本発明は、複写機、プリンタ、又はファクシミリ装置等の画像形成装置に関し、特に、装置筐体に対して移動自在に設けられたユニット等の可動体をロックするロック機構を備える画像形成装置に関するものである。
【背景技術】
【０００２】
一般に、画像形成装置においては、複数の給紙カセットが備えられ、これら給紙カセットは装置筐体に対して引き出し可能となっている（つまり、給紙カセットは装置筐体に対して移動自在となっている）。さらに、装置筐体の前面には前面カバーが設けられ、この前面カバーは装置筐体に対して開閉可能となっており、例えば、トナー補給又はメンテナンス等の際前面カバーを開いて、トナー補給又はメンテナンスを行うことになる。その他にも、画像形成装置には、装置筐体に対して移動自在に設けられたユニット等の可動体が複数備えられ、必要に応じて可動体が装置筐体から引き出されることがある。
【０００３】
ところで、給紙カセット等の可動体は装置筐体に対して移動自在に配置されている関係上、例えば、画像形成装置を運搬する際、可動体が動いて装置筐体から引き出された状態となることがある。同様に、前面カバー等も運搬に伴う振動によって開いてしまうことがある。そして、運搬の際、このような事態が生じると、画像形成装置の運搬に支障をきたすばかりでなく、可動体の移動を支持する部材（例えば、スライド支持部又はヒンジ部）が損傷を受けることもあり、また前面カバー等が変形してしまうこともある。
【０００４】
このため、画像形成装置を運搬する際には（例えば、出荷時等）には、給紙トレイ及び前面カバー等の可動体を粘着テープ等で固定して、可動体が運搬時に動いて引き出された状態又は開いた状態とならないようにしている。
【０００５】
しかしながら、テープ等で可動体を固定する作業には時間がかかり、さらに画像形成装置を設置場所に設置する際には、テープを除去するという作業が伴うことになる。また、ユーザが画像形成装置の設置場所を変更する際にも、画像形成装置の運搬移動に伴う可動体の動きを阻止するため、可動体をテープ等で固定しなければならない。そして、テープを剥がした際、その跡が可動体に付着してしまい、清掃をおこなわなければならないこともある。
【０００６】
上述のような不具合を防止するため、つまり、運搬時に、可動体が不用意に動くことがないようにするため、画像形成装置本体（装置筐体）に対して運搬用把手をスライド自在に設けて、運搬用把手は画像形成装置を運搬する際、画像形成装置本体外に引き出され、画像形成装置本体内に、運搬用把手を引き出した際、これに連動して可動体である給紙カセットをロックするためのロックレバーとリンク杆を含むロック機構を設けるようにしたものがある（特許文献１参照）。
【０００７】
【特許文献１】特開平８−４４２７２号公報（第３頁〜第５頁、第１図〜第３図）
【発明の開示】
【発明が解決しようとする課題】
【０００８】
ところで、特許文献１に記載された画像形成装置では、運搬用把手を引き出した際、可動体である給紙カセットをロックして、給紙カセットが動かないようにしているものの、運搬用把手を引き出さないと、給紙カセットがロックされず、このため、出荷の際画像形成装置を梱包しようとすると、少なくとも運搬用把手の分だけ大きい梱包箱を準備しなければならず、しかも運搬用把手が突出している関係上、梱包の際運搬用把手が邪魔となってしまうという課題がある。
【０００９】
つまり、従来の画像形成装置では、運搬用把手を引き出さないと、可動体である給紙カセットがロックされず、特に、画像形成装置を出荷する際、この運搬用把手が邪魔になって、出荷時における梱包作業が極めて面倒になってしまうという課題がある。
【００１０】
従って、本発明はかかる従来技術の問題に鑑み、出荷時における梱包作業が容易で、しかも運搬の際給紙カセット等の可動体が動くことのない画像形成装置を提供することを目的とする。
【課題を解決するための手段】
【００１１】
そこで、本発明はかかる課題を解決するために、装置筐体に対して引き出し又は開閉可能に配設された可動体を備える画像形成装置において、前記装置筐体の底面の床面に対する位置を調整するレベル調整手段と、該レベル調整手段に連動して前記可動体をロックするロック機構とを有することを特徴とするものである。
【００１２】
本発明では、例えば、前記レベル調整手段は前記床面に対して上下方向に移動可能で前記装置筐体に取り付けられたレベルボルトを有し、前記ロック機構は前記レベルボルトの移動に連動して上下方向に移動するリンク部材と、該リンク部材に取り付けられた係止部材とを有し、前記係止部材は前記レベルボルトが第１の位置にある際前記可動体をロックし、前記レベルボルトが前記第１の位置よりも下側に位置する第２の位置で前記可動体のロックを解除する。
【００１３】
本発明では、前記係止部材はその一端が前記リンク部材に回動可能に支持されており、前記係止部材の一端と他端との間で前記係止部材は支点部材によって前記装置筐体に対して支持され、前記レベルボルトが前記第２の位置から前記第１の位置に位置付けられた際、前記リンク部材の移動に応じて前記係止部材が回動して前記係止部材の他端で前記可動体を係止する。
【００１４】
本発明では、前記レベルボルトを第２の位置から第１の位置に向って上昇させた際前記レベルボルトが前記第１の位置に達したことを確認できる確認手段が備えられており、例えば、前記確認手段は前記レベルボルトに形成され前記第１の位置で前記装置筐体にネジ嵌入する第１のネジ部と、前記第２の位置で前記装置筐体にネジ嵌入する第２のネジ部とを有している。
【００１５】
また、本発明では、前記可動体の一つは前記装置筐体に対して引き出し可能な把持取手部であって、前記リンク部材は第１のリンク部と該第１のリンク部の下側に位置付けられた第２のリンク部とを有し、さらに、前記第１のリンク部を前記第２のリンク部に対して上方に付勢する付勢手段と、前記把持取手部が前記装置筐体から引き出された状態で前記レベルボルトが第１の位置にある際、前記把持取手部が前記装置筐体内に押し込まれると前記付勢手段の付勢力に抗して前記第１のリンク部を押し下げて該第１のリンク部で前記把持取手部を係止する係止手段を有している。そして、前記係止手段は前記把持取手部に形成され上下方向に延びる溝部を有し、前記把持取手部が前記装置筐体に収納されると前記溝部に前記第１のリンク部の先端が挿入される。
【発明の効果】
【００１６】
以上のように、本発明による画像形成装置は、装置筐体の底面の床面に対する位置を調整するレベル調整手段に連動して可動体をロックするロック機構を備えているので、レベル調整手段を操作すれば、可動体のロック又はロック解除することができ、画像形成装置を梱包する等、画像形成装置を運搬移動する際において、梱包作業が容易で、しかも運搬の際給紙カセット等の可動体が動くことがないという効果がある。
【００１７】
また、本発明では、レベルボルトを第２の位置から第１の位置に向って上昇させた際、レベルボルトが第１の位置に達したことを確認できるようにしたので、可動体が不完全なロック状態となることを防止できるという効果がある。
【００１８】
本発明では、把持取手部が装置筐体から引き出された状態でレベルボルトが第１の位置にある際、把持取手部が装置筐体内に押し込まれると付勢手段の付勢力に抗して第１のリンク部を押し下げて、第１のリンク部で把持取手部を係止する係止手段を有しているので、把持取手部以外の可動部をロックした状態で、把持取手部を用いて画像形成装置を移動させ、梱包段階で、把持取手部を装置筐体に押し込めば簡単に把持取手部を装置筐体に収納ロックすることができるという効果がある。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２０】
図１を参照して、図１（ａ）に示すように、図示の画像形成装置１０は、装置筐体１１を有しており、この装置筐体１１には、可動体である給紙カセット１２が配設されている。図示の例では、給紙カセット１２は紙面の裏側から表側（前面側）に引き出し（スライド）可能となっており、記録用紙（以下単に用紙と呼ぶ）を補給する際には、装置筐体１１から給紙カセット１２を引き出して用紙を補給する。そして、用紙を補給した後、装置筐体１１に給紙カセット１２を収納することになる。
【００２１】
図示はしないが、装置筐体１１内において、給紙カセット１２の上側には、感光体ドラム、帯電器、露光器、現像器、転写器、及びクリーニングユニット等の画像形成ユニットが配置され、画像形成を行う際には、帯電器によって感光体ドラムの表面を均一に帯電した後、画像データに応じて露光器によって感光体ドラムの表面が露光されて、感光体ドラム上に静電潜像が形成される。その後、静電潜像が現像器によって現像されてトナー像とされる。
【００２２】
そして、給紙カセット１２から選択的に用紙が搬送されて、感光体ドラム上のトナー像が用紙に転写された後、定着装置でトナー像が定着されて、装置筐体１１の上面に形成された排紙トレイに排紙される。なお、感光体ドラムに残留する残留トナーはクリーニングユニットで除去され、その後、除電器によって感光体ドラムの残留電荷が除去される。
【００２３】
装置筐体１１の底面四隅には、移動用車輪（キャスター）１３が配設されており、装置筐体１１の前面近傍において、装置筐体の両側面１１ａには上下方向に延びる円柱状の作動バー部材（リンク部材）１４が配置されている（図１（ａ）においては左側面側の作動バー部材１４のみが示されている）。装置筐体１１の側面１１ａには外側に突出する支持部材１５が形成されており、この支持部材１５の上側において、装置筐体の側面１１ａには切り欠き部１６が形成されている。そして、この切り欠き部１６に対応して給紙カセット１２の上端には係止部１２ａが形成されている。
【００２４】
一方、作動バー部材１４には支点ピン１７ａによって係止部材１７の一端が回転可能に支持されており、係止部材１７にはその長手方向に延びる長穴１７ｂが形成されている。支持部材１５には紙面の裏側から表側に延びるピン部材（支点部材）１５ａが設けられており、このピン部材１５ａは長穴１７ｂに挿通されている。そして、係止部材１７の他端は前述の切り欠き部１６に挿入されている（作動バー部材及び係止部材はロック機構として機能する）。
【００２５】
図示のように、装置筐体１１の底面１１ｂの一部は側面１１ａよりも僅かに外側に突出しており、この突出部分はフランジ部１１ｃとされる。このフランジ部１１ｃの上面側には円筒形状の筒体１８が配置され、この筒体１８の内周面にはネジが切られている。そして、この筒体１８の内径は作動バー部材１４の外径よりも僅かに大きい。そして、作動バー部材１４の下端は筒体１８内に挿入される。一方、フランジ部１１ｃの下面側にはリング部材１９が筒体１８と同心状に配設されており、リング部材１９の内径は筒体１８の内径よりも大きい。
【００２６】
フランジ部１１ｃには筒体１８の内径と略同一の大きさの貫通穴が形成されており、この貫通穴を介してリング部材１９側から筒体１８にボルト部材（以下レベルボルトと呼ぶ：レベル調整手段）２０が挿入されている。図１（ｂ）に拡大して示すように、レベルボルト２０は軸部２０ａとこの軸部２０ａに連結された頭部２０ｂとを有しており、軸部２０ａの外周面にはネジが切られ、軸部２０ａの外周面は筒体１８の内周面とネジによって噛み合っている。頭部２０ｂは小径部２０１と小径部２０１の下側に位置する大径部２０２とを有し、レベルボルト２０を回転させて軸部２０ａをねじ込んで小径部２０１の上面がフランジ部１１ｃの下面に当接した状態では、小径部２０１はリング部材１９に収納される。つまり、小径部２０１の外径とリング部材１９の内径とは略同一である。
【００２７】
図２を参照すると、図２は装置筐体１１の右側面側を示す図であり、図１（ａ）には示されていないが、装置筐体１１の前面には前面カバー１１ｄが配設され、この前面カバー１１ｄは装置筐体に対してその一端側が回動可能に支持され、前面カバー１１ｄを開くと、装置筐体１１内、つまり、画像形成装置内部が露出する。なお、作動バー部材１４の上端側には内側に突出する支持部材２１が形成され、この支持部材２１には支点ピン２１ａによって係止部材２２の一端が回動可能に支持されている。
【００２８】
また、この係止部材２２に対応付けて、装置筐体１１の側面１１ａには支持部材２３が形成され、支持部材２３に設けられたピン部材２３ａが係止部材２２に形成された長穴２２ａに挿入されている。なお、図２においては、図１（ａ）で説明した係止部材１７等は省略されており、同様に、図１（ａ）においては図２に示す係止部材２２等は省略されている。
【００２９】
ところで、画像形成装置１０を設置場所の床面に設置した際には、画像形成装置１０の転倒防止のため（給紙カセット１２を前面側に引き出す関係上、特に前面側への転倒を防止する必要がある）、レベルボルト２０を回転してレベルボルト２０を下げて、大径部２０２の下面を床に当接させる。つまり、図１（ａ）及び図２に示すように、大径部２０２の下面をキャスター１３よりも下側に位置付ける状態まで（第２の位置）、レベルボルト２０を下げて、装置筐体１１の前面側を僅かに持ち上げることになる。
【００３０】
図１（ａ）及び図２に示す状態では、レベルボルト２０が下げられている状態であるから、レベルベルト２０の軸部２０ａに当接する作動バー部材１４は自重によって下がり、この結果、作動バー部材１４に取り付けられた支点ピン１７ａ及び２１ａも下がって、係止部材１７及び２２がそれぞれ支点ピン１７ａ及び２１ａ回りに実線矢印で示す方向に回動する。この際、ピン部材１５ａ及び２３ａがそれぞれ長穴１７ｂ及び２２ａ内で移動して、係止部材１７及び２２は支持部材１５及び２３に支持された状態で回動することになる。これによって、係止部材１７の他端は持ち上がり、係止部１２ａから離脱し、給紙カセット１２のロックが解除される（第２の位置）。同様にして、係止部材２２の他端も持ち上がり、前面カバー１１ｄから離脱して前面カバー１１ｄのロックが解除される。
【００３１】
一方、画像形成装置１０の設置場所を移動する際又は画像形成装置を梱包して出荷する際には、レベルボルト２０を回転してレベルボルト２０を上げる。これによって、作動バー部材１４は軸部２０ａによって押し上げられて、作動バー部材１４に取り付けられた支点ピン１７ａ及び２１ａも押し上げられる。図３はレベルボルト２０を上げる過程を示す図であり、レベルボルト２０を途中まで上げた状態を示している。図３（ａ）及び（ｂ）に示すように、レベルボルト２０を上げていくと、支点ピン１７ａの上昇に伴って、係止部材１７が支点ピン１７ａ回りに実線矢印で示す方向に回動する。この際、ピン部材１５ａがそれぞれ長穴１７ｂ内で移動して、係止部材１７は支持部材１５に支持された状態で回動することになる。そして、係止部材１７の他端が下がって、係止部１２ａに近づく。
【００３２】
図４を参照して、レベルボルト２０を上げて、図４（ａ）及び（ｂ）に示すように、頭部２０ｂの小径部２０１がリング部材１９に収納された状態となると（第１の位置）、係止部材１７は水平面と略平行になって、係止部材１７の他端が係止部１２ａに係合して、係止部材１７によって給紙カセット１２がロックされる（第１の位置）。前述のように、作動バー部材１４の下端はレベルボルト２０の軸部２０ａに当接しているから、レベルボルト２０を回転操作しない限りは、作動バー部材１４は図４（ａ）に示す位置に保持され、係止部材１７による給紙カセット１２のロックが外れてしまうことはない。
【００３３】
図４に示す状態においては、図５に示すように、支点ピン２１ａの上昇に伴って、係止部材２２が支点ピン２１ａ回りに実線矢印で示す方向に回動して、係止部材２２は水平面と略平行になって、係止部材２２の他端が前面カバー１１ｄの上端に挿入され、前面カバー１１ｄが係止部材２２によって係止される（ロックされる）。なお、係止部材１７及び２２の回動範囲は、それぞれ長穴１７ｂ及び２２ａによって規定されることになる。
【００３４】
上述のように、画像形成装置１０の転倒等を防止するレベルボルト２０を上げると、つまり、レベルボルト２０を解除すると、それに連動して係止部材１７及び２２がそれぞれ給紙カセット１２及び前面カバー１１ｄをロックし、レベルボルト２０を下げると、つまり、レベルボルト２０を作用させると、それに連動して係止部材１７及び２２による給紙カセット１２及び前面カバー１１ｄのロックを解除するようにしたので、レベルボルト２０の操作によって可動体である給紙カセット１２及び前面カバー１１ｄのロック及びロック解除ができることになって、通常、画像形成装置（特に、大型の画像形成装置）にはレベルボルトが備えられていることを考慮すると、レベルボルトは上下方向に動くだけであるから、特に、出荷時においてレベルボルトが邪魔になることはなく、その結果、梱包作業が容易となるばかりでなく、レベルボルトの操作のみで運搬の際給紙カセット等の可動体をロックすることができるという効果がある。
【００３５】
ところで、図１及び図２で説明したレベルボルト２０は常に筒体１８とネジによって噛み合っているので、例えば、画像形成装置１０を搬送する際にレベルボルト２０を途中まであげて、つまり、小径部２０１がリング部材１９に収納されない状態で、給紙カセット等がロックされたとして、画像形成装置を搬送してしまう恐れがある。このため、図６（ａ）に示すように、筒体１８の内周面にネジを形成せず、フランジ部１１ｃに形成された貫通穴の内周面にネジ３１を形成する。さらに、リング部材１９の内周面にネジ１９ａを形成して、小径部２０１の外周面にネジ３２（第２のネジ部）を形成する。また、軸部２０ａにはその先端側のみにネジ３３（第１のネジ部）を形成する。
【００３６】
このようにすると、図６（ｂ）に示すように、ネジ３３とネジ３１が噛み合っている状態では、レベルボルト２０が下げられてレベルボルト２０が床面に当接した状態となり、レベルボルト２０を回転させてレベルボルト２０を上げると、その過程で図６（ｃ）に示すように、ネジ３３がネジ３１から抜ける状態となる。そして、さらに、レベルボルト２０を上げて、ネジ３２とネジ１９ａとが噛み合う状態となると（図６（ｄ）参照）、前述した係止部材１７及び２２がそれぞれ給紙カセット１２及び前面カバー１１ｄをロックする位置に達するようにする。
【００３７】
作業員又はユーザは、レベルボルト２０を上げて、一旦レベルボルト２０の回動負荷（つまり、ネジ同士の噛み合いによる負荷）が低下した後、再度回動負荷が高くなると、ロックが行われたと判断することができることになる（つまり、確認手段として機能することになる）。
【００３８】
ところで、画像形成装置１０はキャスター１３によって移動可能となっているものの、画像形成装置１０を移動させる際の便宜を考えて、装置筐体１１に収納（スライド）可能に把持取手部を設けることがある。図７を参照して、図７（ａ）に示すように、装置筐体１１には把持取手部４１がスライド可能に配設されており、画像形成装置を運搬移動する際には、把持取手部４１が装置筐体１１から引き出される。図示の例では、作動バー部材１４は第１及び第２のバー部４２及び４３を有しており、第１のバー部（第１のリンク部）４２の下端には取り付け部４２ａが形成され、同様にして第２のバー部（第２のリンク部）４３の上端には取り付け部４３ａが形成されて、取り付け部４２ａ及び４３ａ間に付勢部材であるコイルバネ４４が配設されて、このコイルバネ４４によって第１のバー部４２が上方に付勢されている。なお、図示はしないが、第２のバー部４３の下端がレベルボルト２０に当接している。
【００３９】
画像形成装置１０を運搬移動する際には、レベルボルト２０を上げて給紙カセット１２等の可動体をロックする前に、把持取手部４１を装置筐体１１から引き出した後、レベルボルト２０を上げて給紙カセット１２等の可動体をロックする。図７（ａ）に示すように、把持取手部４１の前端には取手４１ａが位置しており、この取手４１ａにはスライド部４１ｂが連結されている。このスライド部４１ｂには厚さ方向に凹む溝部４１ｃが形成されるとともに、この溝部４１ｃの後ろ側にはスライド部４１ｂの厚さが薄くなる方向に傾斜する傾斜面４１ｄが形成されている。また、第１のバー部４２の先端には傾斜面４１ｄと逆方向に傾斜する傾斜面４２ｂが形成されている。
【００４０】
前述のように、把持取手部４１を用いて画像形成装置１０を運搬移動させる際には、把持取手部４１を装置筐体から引き出した後、レベルボルト２０を上げて給紙カセット１２等の可動体をロックする。そして、画像形成装置１０を、例えば、梱包する際には、把持取手部４１を装置筐体１１に収納することになるが、この際には、レベルボルト２０を下げることなく、把持取手部４１を装置筐体１１内にスライドさせると、傾斜面４２ｂが傾斜面４１ｄに当接し、把持取手部４１のスライドに応じてコイルバネ４４が圧縮されて、第１のバー部４２の先端が下がる。
【００４１】
さらに、把持取手部４１をスライドさせると、溝部４１ｃが第１のバー部４２の先端に位置した時点で、コイルバネ４４の付勢によって第１のバー部４２が上昇して、その先端が溝部４１ｃに挿入されて把持取手部４１がロックされる。
【００４２】
このようにして、給紙カセット１２等の可動体をロックした状態で、把持取手部４１を用いて画像形成装置１０を運搬移動して、画像形成装置１０を梱包する際には、給紙カセット１２等の可動体をロックした状態で、つまり、レベルボルト２０を上げた状態で、単に把持取手部４１を装置筐体１１内にスライドさせるだけで、把持取手部４１が装置筐体１１内でロックされることになる。
【００４３】
なお、上述の例では、可動体として給紙カセット、前面カバー、及び把持取手部を例に挙げて説明したが、装置筐体に対して引き出し又は開閉可能なカバー又はユニットであれば、同様にして、上述のロック機構を適用できる。
【産業上の利用可能性】
【００４４】
装置筐体の底面の床面に対する位置を調整するレベル調整手段に連動して可動体をロックするロック機構を備えているから、レベル調整手段を操作すれば、可動体のロック又はロック解除することができ、画像形成装置を梱包する等、画像形成装置を運搬移動する際において、梱包作業が容易で、しかも運搬の際給紙カセット等の可動体が動くことがない結果、画像形成装置ばかりでなく、可動体を備える事務機器等にも適用できる。
【図面の簡単な説明】
【００４５】
【図１】本発明の実施例１による画像形成装置を、給紙カセットのロックが解除された状態で示す図であり、（ａ）は前面側から破断して概略的に示す図、（ｂ）は（ａ）のＡ部分を拡大して示す図である。
【図２】本発明の実施例１による画像形成装置を、前面カバーのロックが解除された状態で前面側から破断して概略的に示す図である。
【図３】本発明の実施例１による画像形成装置を、レベルボルトを上げて給紙カセットのロックをロックする過程を示す図であり、（ａ）は前面側から破断して概略的に示す図、（ｂ）は（ａ）のＡ部分を拡大して示す図である。
【図４】本発明の実施例１による画像形成装置を、給紙カセットがロックされた状態で示す図であり、（ａ）は前面側から破断して概略的に示す図、（ｂ）は（ａ）のＡ部分を拡大して示す図である。
【図５】本発明の実施例１による画像形成装置を、前面カバーがロックされた状態で前面側から破断して概略的に示す図である。
【図６】本発明の実施例１による画像形成装置で用いられるレベルボルトの他の例を示す断面図であり、（ａ）はレベルボルトと作動バー部材との関係を示す断面図、（ｂ）はレベルボルトが下げられてロック解除が行われている状態を示す断面図、（ｃ）はレベルボルトを上げる過程を示す断面図、（ｄ）はレベルボルトを上げてロックが行われた状態を示す断面図である。
【図７】本発明の実施例１による画像形成装置で用いられる把持取手部のロックを説明するための断面図であり、（ａ）は装置筐体から把持取手部が引き出された状態を示す断面図、（ｂ）は装置筐体に把持取手部が収納されてロックされた状態を示す断面図である。
【符号の説明】
【００４６】
１０  画像形成装置
１１  装置筐体
１２  給紙カセット
１３  移動用車輪（キャスター）
１４  作動バー部材
１５，２１，２３  支持部材
１６  切り欠き部
１７，２２  係止部材
１８  筒体
１９  リング部材
２０  レベルボルト
４１  把持取手部
４４  コイルバネ
【図１】
2006064888.tif 000003
【図２】
2006064888.tif 000004
【図３】
2006064888.tif 000005
【図４】
2006064888.tif 000006
【図５】
2006064888.tif 000007
【図６】
2006064888.tif 000008
【図７】
2006064888.tif 000009